(57)【要約】  本記述は、ヒンジ付き部分を有するコンピューティングデバイスのような、デバイスに関する。１つの実施例は、第１の部分及び第２の部分と、第１の部分及び第２の部分に固定されるフレキシブルディスプレイとを含み得る。この実施例は、第１の部分及び第２の部分を回転可能に固定するヒンジアセンブリも含み得る。第１の部分及び第２の位部分が互いに対して回転させられるときに、ヒンジアセンブリの長さが変わり得るよう、ヒンジアセンブリを第２の部分に固定的に固定し、第１の部分に可動に固定し得る。
2017526993.tif 000002
【特許請求の範囲】
【請求項１】
第１の部分及び第２の部分と、
前記第１の部分及び前記第２の部分に固定される、フレキシブルディスプレイと、
前記第１の部分及び前記第２の部分を回転可能に固定する、ヒンジアセンブリとを含み、
前記第１の部分及び前記第２の部分が互いに対して回転させられるときに、前記ヒンジアセンブリの長さが変化するよう、前記ヒンジアセンブリは、前記第２の部分に固定的に固定され、前記第１の部分に可動に固定される、
コンピューティングデバイス。
【請求項２】
前記第１の部分は、電子コンポーネントを収容するハウジングを含み、前記第２の部分は、他の電子コンポーネントを収容する他のハウジングを含む、請求項１に記載のコンピューティングデバイス。
【請求項３】
前記ヒンジアセンブリは、ラジアスヒンジアセンブリを含む、請求項１に記載のコンピューティングデバイス。
【請求項４】
前記ヒンジアセンブリは、互いに対する前記第１の部分及び前記第２の部分の０〜１８０度の回転を可能にするように構成される、請求項１に記載のコンピューティングデバイス。
【請求項５】
前記ヒンジアセンブリは、前記第１の部分及び前記第２の部分の間の角度が増大するに応じて漸増的に増大する抵抗をもたらす、請求項１に記載のコンピューティングデバイス。
【請求項６】
前記ヒンジアセンブリは、前記第１の部分に形成されるスロット内を動くように構成される突出部を更に含む、請求項１に記載のコンピューティングデバイス。
【請求項７】
前記スロット内の前記突出部の動きが前記ヒンジアセンブリによって制御される、請求項６に記載のコンピューティングデバイス。
【請求項８】
前記スロット内の前記突出部の動きが前記ヒンジアセンブリによって制御されない、請求項６に記載のコンピューティングデバイス。
【請求項９】
前記ヒンジアセンブリは、スライドを更に含み、該スライドの第１の要素は、前記ヒンジアセンブリに固定され、前記スライドの第２の要素は、前記第１の部分に固定される、請求項１に記載のコンピューティングデバイス。
【請求項１０】
前記第１の要素は、スライドキャリアを含み、該スライドキャリアの動きは、互いに対する前記第１の部分及び前記第２の部分の動きとタイミング調節される、請求項９に記載のコンピューティングデバイス。
【請求項１１】
前記ヒンジアセンブリは、時限リンク要素を含むラジアスヒンジアセンブリを含み、前記時限リンク要素は、前記スライドキャリアの前記動きを推進する、請求項１０に記載のコンピューティングデバイス。
【請求項１２】
前記ヒンジアセンブリは、前記フレキシブルディスプレイを保護するために最小の曲げ半径を維持する、請求項１に記載のコンピューティングデバイス。
【請求項１３】
当該コンピューティングデバイスは、ｅリーダ、ラップトップコンピュータ、タブレットコンピュータ、スマートホンコンピュータ、家庭用電気製品、航空機座席のコンポーネント、又は車両のコンポーネントとして現れる、請求項１に記載のコンピューティングデバイス。
【請求項１４】
コンピューティングデバイスであって、
当該コンピューティングデバイスの第１の部分及び当該コンピューティングデバイスの第２の部分に固定される、フレキシブルディスプレイと、
当該コンピューティングデバイスの前記第１の部分及び前記第２の部分を回転可能に固定し、且つ、前記第１の部分及び前記第２の部分が互いに対して回転させられるときに、前記フレキシブルディスプレイの最小の曲げ半径を維持するように構成される、ラジアスヒンジアセンブリとを含む、
コンピューティングデバイス。
【請求項１５】
前記フレキシブルディスプレイは、前記第１の部分の平面的な表面及び前記第２の部分の他の平面的な表面の全体を覆う、請求項１４に記載のコンピューティングデバイス。
【発明の詳細な説明】
【発明の概要】
【課題を解決するための手段】
【０００１】
添付の図面は、本文書において伝える着想の実施を例示する。添付の図面と共に考慮される後続の記述を参照することによって、例示の実施の構成をより容易に理解し得る。様々な図面中の同等の参照番号は、同等の要素を示すのに相応しい場合にはいつでも用いられる。更に、各参照番号中の最も左側の数字は、参照番号が最初に提示される図面及び関連する議論を伝える。
【図面の簡単な説明】
【０００２】
【図１】本着想の幾つかの実施に従ったラジアスヒンジ(radius  hinge)の実施例を含む例示的なフレキシブルディスプレイコンピューティングデバイス(flexible  display  computing  device)である。
【０００３】
【図２】本着想の幾つかの実施に従ったラジアスヒンジの実施例の立面図である。
【図３】本着想の幾つかの実施に従ったラジアスヒンジの実施例の立面図である。
【図４】本着想の幾つかの実施に従ったラジアスヒンジの実施例の立面図である。
【０００４】
【図５】本着想の幾つかの実施に従ったラジアスヒンジの実施例の斜視図である。
【図６】本着想の幾つかの実施に従ったラジアスヒンジの実施例の斜視図である。
【図７】本着想の幾つかの実施に従ったラジアスヒンジの実施例の斜視図である。
【０００５】
【図８】図７の斜視図と類似する分解斜視図である。
【０００６】
【図９】図１−８に示すラジアスヒンジの実施例の部分の立面図である。
【０００７】
【図１０】本着想の幾つかの実施に従ったラジアスヒンジの実施例の斜視図である。
【図１１】本着想の幾つかの実施に従ったラジアスヒンジの実施例の斜視図である。
【０００８】
【図１２】本着想の幾つかの実施に従ったラジアスヒンジの実施例の斜視図である。
【図１３】本着想の幾つかの実施に従ったラジアスヒンジの実施例の斜視図である。
【０００９】
【図１４】図１２の斜視図と類似する分解斜視図である。
【００１０】
【図１５】図１４に示すラジアスヒンジの実施例の部分の斜視図である。
【００１１】
【図１６】図１０−１５に示すラジアスヒンジの実施例の部分の立面図である。
【００１２】
【図１７】本着想の幾つかの実施に従ったラジアスヒンジの実施例を含む他の例示的なフレキシブルディスプレイコンピューティングデバイスの立面図である。
【００１３】
【図１８】図１７の例示的なフレキシブルディスプレイコンピューティングデバイスの部分の拡大図である。
【００１４】
【図１９】本着想の幾つかの実施に従ったラジアスヒンジの実施例を含む更なる例示的なフレキシブルディスプレイコンピューティングデバイスの斜視図である。
【図２０】本着想の幾つかの実施に従ったラジアスヒンジの実施例を含む更なる例示的なフレキシブルディスプレイコンピューティングデバイスの斜視図である。
【図２１】本着想の幾つかの実施に従ったラジアスヒンジの実施例を含む更なる例示的なフレキシブルディスプレイコンピューティングデバイスの斜視図である。
【図２２】本着想の幾つかの実施に従ったラジアスヒンジの実施例を含む更なる例示的なフレキシブルディスプレイコンピューティングデバイスの斜視図である。
【００１５】
【図２３】図２０〜２２の例示的なフレキシブルディスプレイコンピューティングデバイスの分解斜視図である。
【００１６】
【図２４】図２３の分解斜視図の拡大部分である。
【００１７】
【図２５】図２４に示す例示的なフレキシブルディスプレイコンピューティングデバイスの類似の部分の斜視図である。
【００１８】
【図２６】他の例示的なフレキシブルディスプレイコンピューティングデバイスの実施の、図２３と類似する、分解斜視図である。
【００１９】
【図２７】図２６の分解斜視図の拡大部分である。
【発明を実施するための形態】
【００２０】
本着想は、フレキシブルディスプレイを利用するコンピューティングデバイスに関する。フレキシブルディスプレイは、剛性ディスプレイに対して利点を有するが、損傷を受け易くあり得る。本実施は、フレキシブルディスプレイを損傷から保護しながら、コンピューティングデバイスの部分を回転可能に固定するように構成される、ヒンジを利用し得る。
【００２１】
導入的な図１は、ラジアスヒンジアセンブリ１０６（この場合には２つのラジアスヒンジアセンブリ１０６（１）及び１０６（２））によって互いに回転可能に固定される第１の部分１０２及び第２の部分１０４を有する、コンピューティングデバイス１００の実施例を示している。フレキシブルディスプレイ１０８が、第１の部分１０２及び第２の部分１０４に固定される。
【００２２】
ラジアスヒンジアセンブリ１０６は、コンピューティングデバイス１００が事例１の展開構成(deployed  configuration)から事例２の格納構成(storage  configuration)に移行するのを可能にし得る。展開構成は、使用者に比較的な大きなディスプレイ領域をもたらし得るのに対し、格納構成は、フレキシブルディスプレイ１０８を損傷から守りながら、より小さなデバイスフットプリントをもたらし得る。ｘ方向における寸法（例えば、寸法ｘ）は、展開構成に対して、格納構成において約半分だけ減少させられる。更に、ラジアスヒンジアセンブリ１０６は、格納構成においてフレキシブルディスプレイ１０８を損傷から守り得る。何故ならば、第１の部分及び第２の部分は、格納構成においてフレキシブルディスプレイ１０８の大部分又は全部を覆い得るからである。
【００２３】
代替的に又は追加的に、図１からは直ちに明らかでないが、ラジアスヒンジアセンブリ１０６は、コンピューティングデバイス１００が格納位置にあるときに、フレキシブルディスプレイ１０８が狭窄される(pinched)或いはかしめられる(crimped)ことから守り得る。ラジアスヒンジアセンブリ１０６は、第１の部分１０２及び第２の部分１０４が互いに対して動かされるときに、曲率半径を維持し得る。曲率半径は、従来的な短軸ヒンジがフレキシブルディスプレイの特定の部分に加えることがある力の集中を減少させることがある。ラジアスヒンジアセンブリ１０６がフレキシブルディスプレイを保護し得る他の方法は、調節可能な長さを有することによる。調節可能な長さは、コンピューティングデバイス１００がそれらの状態の間で移行させられるときのフレキシブルディスプレイに対する付与力(imparting  forces)を減少させ得る。
【００２４】
コンピューティングデバイス１００は、フレキシブルディスプレイ１０８及びラジアスヒンジアセンブリ１０６を強調する方法において示されている。しかしながら、コンピューティングデバイスは、他のコンポーネントを含んでよい。例えば、１つの場合には、第１の部分及び第２の部分は、ハウジングとして現れ得る。プロセッサ／記憶装置のような電子コンポーネントが、ハウジング上及び／又は内に位置付けられてよく、２つの部分の間に延びる導体によって相互接続されてよい。無数のコンピューティングデバイス実施が想定される。例えば、コンピューティングデバイスは、数ある実施の中でも、ｅリーダ(e-reader)、ラップトップコンピュータ、タブレットコンピュータ、スマートホンコンピュータ、ウェアラブルスマートデバイス、ディスプレイデバイス、家庭用電気製品、飛行機座席のコンポーネント、車両のコンポーネントとして現れ得る。
【００２５】
以下の議論において、図２〜１６は、ラジアスヒンジアセンブリ１０６を描写している。図１７〜２７は、コンピューティングデバイスへのラジアスヒンジアセンブリの連結を描写している。
【００２６】
図２〜９は、上で提示したラジアスヒンジアセンブリ１０６の１つの実施を集合的に示している。この変形は接尾辞「Ａ」（例えば、１０６（Ａ））の使用を介して区別されている。図２〜３及び７〜８は、「開放」又は「展開」位置（例えば、１８０度）においてラジアスヒンジアセンブリ１０６（Ａ）を示している。図４−６は、「閉塞」又は「格納」位置（例えば、ゼロ度）においてラジアスヒンジアセンブリ１０６（Ａ）を示している。図１−１６は、１０６（Ｂ）で指し示される他のラジアスヒンジアセンブリの実施を示している。
【００２７】
図２に示すように、ラジアスヒンジアセンブリ１０６（Ａ）は、少なくとも第１及び第２の隣接する偏心（オフセット）させられたスタック２０２を含んでよい。例示する構成は、５つのスタック２０２（１）〜２０２（５）を含むが、より多くの又はより少ないスタックが利用されてよい。スタックの数は、特定の用途のために望ましいことがあるときに、ラジアスヒンジアセンブリに対する追加的な抵抗を加えるために増加させられてよい。図８の分解図から最も容易に理解されることがあるように、個々のスタックは、第１の部分要素（例えば、第１の要素）８０４、時限リンク要素８０６(タイミング調節されるリンク要素)(timed  link  element)、及び第２の部分要素（例えば、第２の要素）８０８を含んでよい。図面頁の読みやすさを向上させるために、第１の２つのスタック２０２（１）及び２０２（２）のみが指し示されている。しかしながら、スタックは、一般的に、交互に繰り返して現れる。よって、スタック２０２（３）及び２０２（５）は、スタック２０２（１）と類似し、スタック２０２（４）は、スタック２０２（２）と類似する。また、必ずしも全ての要素が全ての図２〜９で指し示されているわけではない。この実施において、各スタックは、単一の次元リンク要素８０６を含む。図１０〜１６は、各スタックが多数の連続的に配置される時限リンク要素を含む、他の実施を示している。
【００２８】
図２〜９に例示する構成では、第１の部分要素８０４を第１の部分１０２（図１）に固定し得る。同様に、第２の部分要素８０８を第２の部分１０４（図１）に固定し得る。スタック２０２（１）、２０２（３）、及び２０２（５）に関して、第１の部分要素８０４（１）の末端８１０は、時限リンク要素８０６（１）と係合するギアが付けられていない。対照的に、スタック２０２（２）及び２０２（４）に関して、末端８１０は、時限リンク要素８０６と係合するギアが付けられている。スタック２０２（１）、２０２（３）、及び２０２（５）に関して、第２の部分要素８０８の末端８１２は、時限リンク要素８０６と係合するギアが付けられている。対照的に、スタック２０２（２）及びスタック２０２（４）に関して、末端８１２は、時限リンク要素８０６と係合するギアが付けられていない。
【００２９】
時限リンク要素８０６は、概ね反対の第１の端８１４及び第２の端８１６と、第１の端８１４を通じて形成される第１の孔８１８及び第２の端８１６を通じて形成される第２の孔８２０とを有し得る。主要図面を曖昧にする指示線を避けるために、図８に関するコールアウト８２２(callout)では、これらの要素を特異性を伴わずに印している。例示する構成では、個々の時限リンク要素の両端にギアが付けられていることに留意のこと。この構成は、ラジアスヒンジアセンブリ１０６（Ａ）が、より少ない異なる種類の要素で構成されることを可能にし得る。しかしながら、時限リンク要素８０６（１）の第１の端８１４は、第１の部分要素８０４（１）の末端８１０と係合せず、よって、ギア歯は利用されず、よって、ギア歯を省略し得ることに留意のこと。同様に、時限リンク要素８０６（２）の第２の端８１６もギア歯を省略し得る。何故ならば、それは第２の部分要素８０８（２）の末端８１２（２）と係合しないからである。
【００３０】
ラジアスヒンジアセンブリ１０６（Ａ）は、第１のスタック２０２（１）の時限リンク要素８０６（１）の第２の孔８２０を通じて進む概ね細長い軸ピン８２４（１）を含んでよい。軸ピン８２４（１）は、第２のスタック２０２（２）の時限リンク要素８０６（２）の第１の孔８１８も通じて進み、第２のスタック２０２（２）を第１のスタック２０２（１）に対して偏心（オフセット）した方法において固定する。この場合、偏心した方法は、時限リンク要素のピッチ直径によって定められ得る。図９は、事例１での時限リンク要素８０６（１）及び時限リンク要素８０６（２）を示している。時限リンク要素８０６（２）は、破線で示されている。何故ならば、時限リンク要素８０６（２）の部分は、時限リンク要素８０６（１）の背後にあるからである。事例２は、第２の時限リンク要素８０６（２）の第１の端８１４及び第１の時限リンク要素８０６（１）の第２の端８１６によって定められるような、ピッチ直径９０２の追加を示している。
【００３１】
図８に戻ると、ラジアスヒンジアセンブリ１０６（Ａ）は、第１の軸ピン８２４（１）と概ね平行な第２の軸ピン８２４（２）及び第３の軸ピン８２４（３）を含んでよい。第２の軸ピン８２４（２）は、第２のスタック２０２（２）の第１の要素８０４（２）にある孔８２６と第１のスタック２０２（１）の時限リンク要素８０６（１）の第１の端にある孔８１８とを通じて進み得る。第３の軸ピン８２４（３）は、第２のスタック２０２（２）の時限リンク要素８０６（２）の第２の端８１６にある孔８２０と第１のスタック２０２（１）の第２の部分要素８０８（１）にある孔８２８とを通じて進み得る。
【００３２】
現在の構成において、第２の軸ピン８２４（２）及び第３の軸ピン８２４（３）は、（第１の）軸ピン８２４（１）の両側にある。この構成は、第２の軸ピン８２４（２）に隣接し且つ軸ピン８２４（１）に対して遠位にある第４の軸ピン８２４（４）と、第３のアクセスピン８２４（３）に隣接し且つ軸ピン８２４（１）に対して遠位にある第５の軸ピン８２４（５）とを含んでよい。第４の軸ピン８２４（４）は、第２のスタック２０２（２）の第１の要素８０４（２）にある第２の孔８３０と第１のスタック２０２（１）の第１の要素８０４（１）にある孔８３１とを通じて進み得る。第５の軸ピン８２４（５）は、第２のスタック２０２（２）の第２の部分要素８０８（２）にある孔８３２と第１のスタック２０２（１）の第２の部分要素８０８（１）の第２の孔８３４とを通じて進み得る。
【００３３】
この実施において、軸ピン８２４は、ネジ山付きボルトとして現れ得る。ボルトは、スタック２０２（１）〜２０２（５）を通じるリンクカバー８３６（それらの全てが特異性を伴って指し示されているわけではない）を通じて並びに他のセットのリンクカバー８３８及びネジ山付きナット８４０のセットを通じて進み得る。現在の構成において、第２の軸ピン８２４（２）及び第４の軸ピン８２４（４）は、第１及び第５のスタックの各側で共通のリンクカバーを共用し、軸ピン８２４（１）及び第３の軸ピン８２４（３）は、第１及び第５のスタックの各側で他の共通のリンクカバーを共用している。ネジ山付きボルト、リンクカバー、及びナット８４０は、スタックを互いに押し潰し合う圧縮力をもたらして、隣接する要素の間に摩擦を創り出してよい。幾つかの実施では、スタック間の所望の摩擦インターフェースを創り出し且つ維持するために、軸方向荷重がナット８４０とリンクカバー８３６との間のバネ座金の使用を通じて要素の間に適用されてよい。バネ座金は、要素が摩滅するときでさえも、軸方向荷重を維持するのに役立つ。ある時点で、バネ座金が荷重を維持し得ないならば、ボルト／ナットを締め付けて摩擦を増大させることによって、これらの実施を容易に調節し得る。
【００３４】
例示する構成はヒンジ剛性を制御するために軸方向摩擦を利用するものとして見られてよい。他の種類の軸方向摩擦構成が想定される。代替的な構成は、（孔に対する）過大軸ピン８２４(oversize  axis  pins)を利用し得る。軸ピンと孔を定める要素との間に摩擦嵌めを創り出すために、過大軸ピンをスタック２０２にある孔を通じてプレス嵌めし得る。この構成はヒンジ剛性を制御するために径方向摩擦を利用するものとして見られてよく、他の構成が想定される。
【００３５】
第１のスタック２０２（１）に関するこの実施において、時限リンク要素８０６（１）の第１の端８１４は、第１の部分要素８０４（１）と係合しない。時限リンク要素８０６（１）の第２の端８１６は、すべりのない１対１の回転係合において、第２の部分要素８０８（１）と係合し得る。第２のスタック２０２（２）に関して、時限リンク要素８０６（２）の第１の端８１４は、すべりのない１対１の回転係合において、第１の部分要素８０４（２）と係合し得る。時限リンク要素８０６（２）の第２の端８１６は、第２の部分要素８０８（２）と係合しない。この場合、すべりのない１対１の回転係合は、ラジアスヒンジアセンブリを軸ピン８２４（１）、８２４（２）、及び８２４（３）の周りで同時に回転させる相互噛合いギア(intermeshing  gears)によって達成される。他の実施は、他のギアプロファイル及び／又はギアの種類を利用することができ、且つ／或いは滑らかであるが高摩擦の径方向表面のような、非ギア接続解決策(non-geared  solutions)を利用することができる。
【００３６】
１つの観点(perspective)から特徴付けられることは、図２−９に例示するラジアスヒンジの実施は、３つの軸（例えば、軸ピン８２４（１）、８２４（２）、及び８２４（３））の周りで同時に旋回し得る。後続の議論は、５つの軸の周りで同時に旋回し得るラジアスヒンジの実施を記載する（他の数の旋回軸が想定される）。均等な大きさの要素を仮定すると、軸の数を増大させることは、ヒンジ半径を増大させ得る。ヒンジ半径を増大させる他の方法は、軸の数を一定に維持しながら、ピッチ直径を増大させることを含み得る。
【００３７】
図１０−１６は、図２−９に関して上述したラジアスヒンジアセンブリ１０６（Ａ）に類似する他のラジアスヒンジアセンブリ１０６（Ｂ）を示している。よって、簡潔性のために、必ずしも全ての要素をここに再度提示しているわけではない。接尾辞「Ｂ」は、上述の実施からラジアスヒンジアセンブリ１０６（Ｂ）の要素を区別するために利用されている。この場合、図１４は、図８と類似する分解斜視図であり、それは要素の視覚化に役立つ。この実施は、９つのスタック２０２（１）（Ｂ）〜２０２（９）（Ｂ）を含む。他の数のスタックが想定される。更に、スタックは、軸ピン８２４（Ｂ）（１）〜８２４（Ｂ）（９）、リンクカバー８３６（Ｂ）及び８３８（Ｂ）、並びにナット８４０（Ｂ）によって固定される。この実施は、図２−９に関して上述した実施よりも多くの軸ピン、リンクカバー、及びナットを利用する。しかしながら、機能性は類似のままである。よって、図１０−１６に関して、これらの要素を詳細に議論しない。この実施における要素の量及び図面頁の制約の故に、特定の要素を印すために、より多くの余白が図面頁上で利用可能であるよう、例示的なスタック２０２（１）（Ｂ）及び２０２（２）（Ｂ）が、図１５に関連して分離して示されている。
【００３８】
図１５から理解し得るように、個々のスタック２０２の時限リンク要素８０６は、第１の時限リンク要素及び第２の時限リンク要素を含む。例えば、スタック２０２（１）（Ｂ）は、第１の時限リンク要素８０６（１）（Ｂ）（１）及び８０６（１）（Ｂ）（２）を含み、スタック２０２（２）（Ｂ）は、第１の時限リンク要素８０６（２）（Ｂ）（１）及び８０６（２）（Ｂ）（２）を含む。第１のスタック２０２（１）（Ｂ）に関して、第１の時限リンク要素８０６（１）（Ｂ）（１）の第１の端８１４は、第１の部分要素８０４（１）（Ｂ）の末端８１０（１）（Ｂ）と係合しない。第１の時限リンク要素８０６（Ｂ）（１）の第２の端８１６は、第２の時限リンク要素８０６（１）（Ｂ）（２）の第１の端８１４と係合し得る。第２の時限リンク要素８０６（１）（Ｂ）（２）の第２の端８１６は、第２の部分要素８０８（１）（Ｂ）の末端８１２（１）（Ｂ）と係合し得る。第２のスタック２０２（Ｂ）（２）に関して、第１の時限リンク要素８０６（２）（Ｂ）（１）の第１の端８１４は、すべりのない１対１の回転係合において、第１の部分要素８０４（２）（Ｂ）の末端８１０（２）（Ｂ）と係合し得る。第１の時限リンク要素８０６（２）（Ｂ）（１）の第２の端８１６は、すべりのない１対１の回転係合において、第２の時限リンク要素８０６（２）（Ｂ）（２）の第１の端８１４と係合し得る。第２の時限リンク要素８０６（２）（Ｂ）（２）の第２の端８１６は、第２の部分要素８０８（２）（Ｂ）の末端８１２（２）（Ｂ）と係合しない。ラジアスヒンジアセンブリが、多数の軸の周りを同時に回転する単一のユニットとして機能するよう、これらの係合の各々は、すべりのない１対１の回転係合をもたらし得る。例えば、図１４に例示する実施例において、多数の回転軸は、軸ピン８２４（Ｂ）（１）〜８２４（Ｂ）（５）によって定められるのに対し、図８の実施において、多数の回転軸は、軸ピン８２４（１）〜８２４（３）によって定められる。
【００３９】
図１６は、ラジアスヒンジアセンブリ１０６（Ｂ）の第２の部分要素８０８（１）（Ｂ）、時限リンク要素８０６（１）（Ｂ）（１）及び８０６（１）（Ｂ）（２）、並びに第１の部分要素８０４（１）（Ｂ）を示している。図１６は、ラジアスヒンジアセンブリ１０６（Ｂ）が多数の軸の周りでどのように同時に回転し得るかを示している（それらの軸は、図面頁上の混乱を避けるために、図示されているものの、指し示されていないが、図８に関して指し示されており且つ軸ピンを受け入れるように構成される、孔によって提示される）。図１６は、０度、９０度、１３５度、１８０度、及び３６０度にある、ラジアスヒンジアセンブリ１０６（Ｂ）を示している。幾つかの実施は、全３６０度の回転（又は数度より多くの角度の回転さえも）可能にし得るが、他の実施は、回転をより少ない値に限定し得る。いずれのシナリオにも共通する１つの点は、ラジアスヒンジアセンブリは、最小の曲げ半径ｒを維持しながら、この回転を達成し得ることである。この場合、曲げ半径は、０度及び３６０度でその最低値にあり、間に現れる値(intervening  values)についてより高い値を伴う。ラジアスヒンジアセンブリは、全３６０度の回転が可能であり得るが、例えば、１３５度又は１８０度のような特定の値で回転を限定する機械的停止装置(mechanical  stops)を含め得ることに留意のこと。均等な大きさの要素を仮定するならば、より多くの時限リンク要素８０６を追加することによって、最小の曲げ半径を増大させ得る。例えば、スタック毎に単一の時限リンク要素を利用する図４をスタック毎に２つの時限リンク要素を利用する図７を比較のこと。
【００４０】
ラジアスヒンジアセンブリは、全範囲(full  range)の関節式作動を通じてヒンジの曲率を制御する時限伝動装置(timed  gearing)を備える摩擦ヒンジとして考えられ得る。伝動装置は、個々の時限リンク要素を互いに連結して、摩擦要求を摩擦要素の全てに広げ得る。要素は、ギア、リンケージ、及び摩擦要素として、三重の効率(triple  duty)をもたらし得る。ラジアスヒンジアセンブリは、ゼロ（例えば、低い角度）で動くのにより少ない力を伴い、度数が増大するに応じてより多くの力を伴う、プログレッシブヒンジ(progressive  hinge)としても考えられ得る。
【００４１】
図１７は、図１のコンピューティングデバイスと類似するコンピューティングデバイス１００（Ｃ）の立面図を示している。コンピューティングデバイス１００（Ｃ）は、第１の部分１０２（Ｃ）及び第２の部分１０４（Ｃ）、並びに、ラジアスヒンジアセンブリ１０６（Ｃ）及びフレキシブルディスプレイ１０８（Ｃ）を含み得る。幾つかの実施では、コンピューティングデバイスが事例１の展開構成から事例２の傾斜位置に移行し、そして、最終的に事例３の格納位置に移行するに応じて、ラジアスヒンジアセンブリの全長Ｌが増大するのを可能にする方法において、ラジアスヒンジアセンブリ１０６（Ｃ）を第１の部分１０２（Ｃ）及び第２の部分１０４（Ｃ）に固定し得る。図面頁の制約の故に、長さＬは、事例１及び図１８だけで特に印されている。比較のために、事例１において、軸ボルト８２４（Ｃ）（５）は、寸法Ｄからも明らかなように、第１の部分１０２（Ｃ）に隣接する。寸法Ｄは、長さＬの変化に寄与し得る。寸法Ｄが変わるのを可能にすることは、さもなければコンピューティングデバイスを様々な位置に移行させることからフレキシブルディスプレイに加えられることがある、応力の力(stress  forces)を減少させ且つ／或いは排除し得る。この特徴は、図１８に関連して以下に記載される。
【００４２】
図１８は、図１７の事例３からのコンピューティングデバイス１００（Ｃ）の拡大部分を示している。この場合、ラジアスヒンジアセンブリ１０６（Ｃ）の第１の端１８０２が、第１の部分１０２（Ｃ）に可動に固定されるのに対し、第２の端１８０４が、第２の部分１０４（Ｃ）に固定的に固定される。この構成において、ラジアスヒンジアセンブリ１０６（Ｃ）は、第１の端１８０２及び第１の部分１０２（Ｃ）に取り付けられるスライド１８０６を含み得るし、第１の端１８０２と第１の部分１０２（Ｃ）との間でｘ基準方向における動きを可能にし得る。
【００４３】
１つの観点から考えると、コンピューティングデバイス１００（Ｃ）を異なる構成に移行させることは、フレキシブルディスプレイ１０８（Ｃ）に対して応力(stress)を加え得る。例えば、フレキシブルディスプレイ１０８（Ｃ）を曲げ半径ｒ１の周りで移行するものとして特徴付け得るし、ラジアスヒンジアセンブリ１０６（Ｃ）をｒ１と異なる曲げ半径の周りで移行するものとして特徴付け得る。この差は応力の力がフレキシブルディスプレイ１０８（Ｃ）及び／又はラジアスヒンジアセンブリ１０６（Ｃ）に加えられるようにさせる。そのような力はコンポーネント疲労及び故障をもたらし得る。例えば、フレキシブルディスプレイ１０８（Ｃ）は、折り目が付けられ(creased)或いはかしめられ(crimped)或いはその他の方法において動作不能にさせられ得る。本着想は、コンピューティングデバイス１００（Ｃ）の構成に従ってラジアスヒンジアセンブリ１０６（Ｃ）の一端又は両端の横方向の動きを可能にするスライド１８０６又は他の要素を介して、この問題に対処し得る。スライド１８０６は、これらの応力の力を減少させ且つ／或いは排除することにより、コンポーネントを守ることがある。例示していないが、他の実施は、代替的に又は追加的に、フレキシブルディスプレイ１０８（Ｃ）の動きを可能にし得る。幾つかの構成において、ｒ１（例えば、フレキシブルディスプレイ）は、中立軸(neutral  axis)であり得るし、ラジアスヒンジアセンブリを長くすることは、さもなければ静止的なヒンジアセンブリによって加えられるであろう応力を減少させ得る。
【００４４】
要約すれば、図１７〜１８は、ラジアスヒンジがフレキシブルディスプレイの背後に実装されるときに、ラジアスヒンジが伸び(grow)得る、ラジアスヒンジアセンブリを示している。幾つかの実施において、ディスプレイが拡張し或いは収縮し得ないときに、フレキシブルディスプレイは中立軸を定め得る。ラジアスヒンジは、中立軸から偏心（オフセット）させられ得るが、寸法Ｄに対する変化としての伸び(growth)に順応し得る。ヒンジの１つの側がデバイス部分の１つの内でスライドするのを可能にすることによって、ディスプレイ角度が変えられるに応じて、ラジアスヒンジは長さを変え得ることを思い起こされたい。
【００４５】
幾つかの実施では、フレキシブルディスプレイをデバイス部分の両側（例えば、第１の部分１０２（Ｃ）及び第２の部分１０４（Ｃ））に固定して、コンピューティングデバイスの２つの部分の間に固定関係を創り得る。ラジアスヒンジアセンブリ１０６（Ｃ）の摩擦特徴は、角度的な安定性をもたらすことがあるのに対し、スライド１８０６は、横（ｙ）方向におけるヒンジの伸び及び安定性をもたらすことがある。何故ならば、自由度のうちの１つがこのスライドの故に拘束されるからである。
【００４６】
多数のスライド構成が想定される。これらのスライド構成のうちの２つは、制御されないスライド及び制御されるスライドである。制御されないスライドの実施例は、図１９に関連して以下に記載される。制御されるスライドの実施例は、図２０−２７に関連して以下に記載される。
【００４７】
図１９は、事例１で展開構成にあり、事例２で格納構成にある、コンピューティングデバイス１００（Ｄ）を示している。事例１では、下に位置するラジアスヒンジアセンブリ１０６（Ｄ）を露出させるために、フレキシブルディスプレイ１０８（Ｄ）が部分的に切り取られた状態で示されており、ラジアスヒンジアセンブリ１０６（Ｄ）は、第１の部分１０２（Ｄ）及び第２の部分１０２（Ｄ）を連結する。この場合、これらの部分は、金属又はポリマのような、概ね剛性の材料である。他の実施は、弾力的(resilient)なポリマ材料のような、より剛性の少ない材料を用い得る。この実施において、それらの部分は、概ね平面的な表面を含む（これらの平面的な表面は、事例２の格納構成では内向きに面しており、よって、「内表面」と呼び得る）。この場合、フレキシブルディスプレイは、これらの表面の本質的に全てを覆う。
【００４８】
事例２は、仮想線（例えば、破線）を用いて、コンピューティングデバイス１００（Ｄ）の下に位置する要素を示している。この場合、ラジアスヒンジアセンブリ１０６（Ｄ）の第１の端１８０２（Ｄ）は、ボックス形状の突出部１９０２を含む。ボックス形状の突出部１９０２は、第１の部分１０２（Ｄ）に形成されるスロット１９０４内に乗って、スライド１９０６を形成する。コンピューティングデバイスが構成の間で移行させられるとき、スライド１９０６は、矢印１９０８によって示されるような、ｘ基準軸に沿う動きを可能にする。特に第１の部分及び第２の部分が事例２の格納構成に折り畳まれるときに、ラジアスヒンジアセンブリのこの動きは、フレキシブルディスプレイ１０８（Ｄ）に対する応力の力を減少させ且つ／或いは排除し得る。この実施は、ラジアスヒンジアセンブリ１０６（Ｄ）及びフレキシブルディスプレイ１０８（Ｄ）に対する力がスロット１９０４内の突出部１９０２の動きを引き起こす点において、制御されないスライドとして考えられ得る。図１８に関連して上で議論したように、この動きはフレキシブルディスプレイ１０８（Ｄ）が曲率半径又は曲げ１９１０を維持するのを可能にし得ることに留意のこと。
【００４９】
図２０−２５は、ラジアスヒンジアセンブリ１０６（Ｅ）及びフレキシブルディスプレイ１０８（Ｅ）を含む、他のコンピューティングデバイス１００（Ｅ）を集合的に示している。この場合には、図２０〜２２及び２４〜２５中でラジアスヒンジアセンブリ１０６（Ｅ）をより良好に視覚化し得るよう、フレキシブルディスプレイは図２３にのみ示されている。後続の図２６〜２７は、ラジアスヒンジアセンブリ１０６（Ｆ）を含む、更に他のフレキシブルディスプレイコンピューティングデバイス１００（Ｆ）を集合的に示している。
【００５０】
図２０は、コンピューティングデバイス１００（Ｅ）の格納構成を示している。事例１は、読者(リーダ)(reader)に面する第２の部分１０４（Ｅ）を示している。事例２は、スライド１９０６（Ｅ）が読者に見えるよう、読者に面する第１の部分１０２（Ｅ）を示している。この場合、スライド動作に関する図１７に関連して上で提示した寸法Ｄは、ゼロよりも大きい値を有する。これは寸法Ｄがゼロに変えられた図２１と対照的であり得る。
【００５１】
図２１は、格納構成にあるコンピューティングデバイス１００（Ｅ）を示している。図２２は、図２１と反対側からの格納構成にあるコンピューティングデバイス１００（Ｅ）を示している。
【００５２】
図２３は、コンピューティングデバイス１００（Ｅ）の分解図を示している。図２４は、スライド１９０６（Ｅ）に関連する図２３の図の拡大部分を示している。図２５は、スライド１９０６（Ｅ）の組立図を示している。手短に言えば、図２３において、グループ化された要素２３０２は、図１４に関連して記載されたものと類似し、簡潔性の故に、ここでは詳細に議論されない。この場合には、数ある構成の中でも、凹部２３０４、プレート２３０６、及び締結具２３０８を介して、ラジアスヒンジアセンブリ１０６（Ｅ）の第２の端１８０４（Ｅ）を第２の部分１０４（Ｅ）に固定的に固定し得る。２つの時限リンク要素８０６（１）（Ｅ）及び８０６（２）（Ｅ）が図２３中で指し示されており、図２４−２５に関連して議論されることに留意のこと。時限リンク要素の更なる議論については、図１４〜１５の議論を参照のこと。
【００５３】
図２４〜２５に例示するように、スライド１９０６（Ｅ）は、スライドキャリア２４０２を含んでよい。スライドキャリア２４０２は、スパーギア末端２４０４（平歯車末端）で終端し得る。スパーギア２４０６をマイターギア（マイター歯車）と接合させ得る。「Ｄ」ピン２４１４を介して、マイターギア２４１０をスパーギア２４１２に接続し得る。締結具２４１８を介して部材２４１６をスライドキャリア２４０２に固定し得る。部材２４１６は、接続されたスパーギア２４２０及び２４２２を、スライドキャリア２４０２に対して保持し得る。スパーギア２４２０は、第１の部分１０２（Ｅ）のスロット１９０４に沿って形成されるラック２４２４と相互作用し得る。他のラック２４２９を含むラックキャリア２４２８にラック２４２６を形成し得る。締結具２４３２を介してラックカバー２４３０をスライドキャリア２４２８に固定し得る。スライドキャリア２４０２が動き得る表面を更に定めるために、締結具２４３６によってハウジングカバー２４３４をスロット１９０４（Ｅ）に対して第１の部分１０２（Ｅ）に固定し得る。
【００５４】
図２４〜２５から理解し得るように、この実施において、ラジアスヒンジアセンブリ１０６（Ｅ）の偏心させられたギアの動きは、スライドキャリア２４０２にリンクさせられ、スライドキャリア２４０２の動きを引き起こす。よって、ラジアスヒンジアセンブリのタイミング調節される性質(timed  nature)は、スロット１９０４（Ｅ）内のスライドキャリア２４０２をタイミング調節された動き(時限動作)(timed  movement)を推進する。より具体的には、時限リンク要素８０６（１）（Ｅ）の動きは、スパーギア末端２４０２によってタイミング調節される。更に、使用者がコンピューティングデバイス１００（Ｅ）を構成の間で移行させるときのような、時限リンク要素８０６（２）（Ｅ）のタイミング調節された動きは、スパーギア２４２０及びマイターギア２４０８を駆動させ得る。マイターギア２４０８は、マイターギア２４１０と係合し、「Ｄ」ピン２４１４を介してスパーギア２４１２を駆動させ得る。スパーギア２４１２は、ラックキャリア２４２８のスパーラック２４２６を駆動させ得る。ラックキャリアの他のラック２４２９は、ギア２４２２を動かして、ギア２４２２を駆動させることができ、次に、ギア２４２２は、ギア２４２０を駆動させて、ラック２４２４と相互作用して、スライド１９０６（Ｅ）のスライドキャリア２４０２を動かす。よって、１つの観点から見られるとき、ラジアスヒンジアセンブリ１０６（Ｅ）の時限ギア(タイミング調節されるギア)(timed  gear)は、制御された方法においてスライドの動きを推進し得る。よって、この実施は制御されたスライドとして見られてよい。ここではスライドが利用されるが、他の実施は、第１の部分及び第２の部分を展開構成から格納構成のように構成間で移行させるときに、ヒンジアセンブリの長さを変更するために、他の機構を用い得る。
【００５５】
図２６〜２７は、第１の部分１０２（Ｆ）を第２の部分１０４（Ｆ）に連結するラジアスヒンジアセンブリ１０６（Ｆ）を含む、更に他のフレキシブルディスプレイコンピューティングデバイス１００（Ｆ）を集合的に示している。ラジアスヒンジアセンブリは、スライド１９０６（Ｆ）を含み得る。以下に説明するように、スライド１９０６（Ｆ）は、制御されるスライドの他の実施例である。図２６は、図２３に類似する図であり、図２７は、図２４に類似する図である。フレキシブルディスプレイは、これらの図面に示されていないが、コンピューティングデバイス１００（Ｅ）に関する図２３中に視覚化されている。
【００５６】
ラジアスヒンジアセンブリ１０６（Ｆ）は、図２０〜２５のラジアスヒンジアセンブリ１０６（Ｅ）と多数のコンポーネントを共用しており、相違がラジアスヒンジアセンブリの機能の説明と密接に関係しない限り、簡潔性の故に、ここではこれらのコンポーネントを再び提示しない。図２７に例示するように、スライド１９０６（Ｆ）は、スライドキャリア２４０２（Ｆ）を含み得る。スライドキャリア２４０２（Ｆ）は、スパーギア末端２４０４（Ｆ）において終端し得る。スパーギア２４０６（Ｆ）を他のスパーギア２６０２と接合させ得る。ピン２６０４が、スライドキャリア２４０２（Ｆ）にある孔２６０６を通じ、スパーギア２４０６（Ｆ）及び他のスパーギア２６０２を通じ、そして、スライドキャリア２４０２（Ｆ）にある他の孔（図示せず）内に水平に進んで、スパーギアをスライドキャリア内に保持する。時限リンク要素８０６（２）（Ｆ）は、スパーギア２４０６（Ｆ）と係合し得る。他のピン２６０８が、末端２４０４（Ｆ）にある孔２６１０を通じ、時限リンク要素８０６（２）（Ｆ）にある孔８２０を通じ、そして、最終的にスライドキャリア２４０２（Ｆ）の対応する末端にある孔２６１２を通じて進んで、時限リンク要素８０６（２）（Ｆ）を（故に、ラジアスヒンジを）スライドキャリア２４０２（Ｆ）に固定する。ラックキャリア２４２８（Ｆ）は、（ラックギアの端だけが図２７中で見えるようにラックの下面にある）ラックギア２６１４を含み得る。
【００５７】
使用者は第１の部分１０２（Ｆ）及び第２の部分１０４（Ｆ）（図２６）を互いに動かし得る。そのような動きは、時限リンク要素８０６（２）（Ｆ）にスパーギア２４０６（Ｆ）を駆動させるようにさせることができ、それはスパーギア２６０２を駆動させ得る。スパーギア２６０２は、ラックギア２６１４を駆動させて、ラックキャリア２４２８（Ｆ）を動かし得る。ラックキャリア２４２８（Ｆ）を動かすことはラック２４２９（Ｆ）を動かし、それはスパーギア２４２０（Ｆ）に固定的に取り付けられるスパーギア２４２２（Ｆ）を回転させる。スパーギア２４２０（Ｆ）をラック２４２４（Ｆ）に対して駆動させることは、制御された方法においてスライドキャリアをスロット１９０４（Ｆ）に対してスライドさせる。この場合、制御された方法は、様々なギアのタイミング調節された相互作用によって決定される。
【００５８】
ラジアスヒンジアセンブリの個々の要素を、とりわけ、板金、ダイカスト金属、機械加工部品、及び／又は成形プラスチック、或いは、これらの材料のいずれかの組み合わせのような、様々な材料から作製し得る。スタックを追加して、より大きな荷重のためにより大きな摩擦を生み得る。
【００５９】
あらゆる種類の（複数の）フレキシブルディスプレイ材料を利用し得る。フレキシブルディスプレイ技術は急速に発展しており、本着想を、とりわけ、非限定的に、フレキシブル電子ペーパに基づくディスプレイ、フレキシブル有機発光ダイオード（ＯＬＥＤ）に基づくディスプレイのような、これらの技術のいずれかに提供し得る。
【００６０】
要約すれば、上の議論は、ヒンジ付き部分とフレキシブルディスプレイとを有するコンピューティングデバイスのような、デバイスに関する。他の実施例は、第１の部分及び第２の部分と、第１の部分及び第２の部分に固定されるフレキシブルディスプレイとを含み得る。この実施例は、第１の部分及び第２の部分を回転可能に固定するヒンジアセンブリも含み得る。第１の部分及び第２の部分が互いに対して回転させられるときに、ヒンジアセンブリの長さが変わり得るよう、ヒンジアセンブリを第２の部分に固定的に固定し、第１の部分に可動に固定し得る。
【００６１】
他の実施例は、コンピューティングデバイスの第１の部分及びコンピューティングデバイスの第２の部分に固定される、フレキシブルディスプレイを含み得る。その実施例は、コンピューティングデバイスの第１の部分及び第２の部分を回転可能に固定するラジアスヒンジアセンブリも含み得る。ラジアスヒンジアセンブリは、第１の部分及び第２の部分が互いに対して回転させられるときに、フレキシブルディスプレイの最小の曲げ半径を維持するように、構成され得る。
【００６２】
更なる実施例は、展開構成から格納構成への移行を可能にするよう第１の剛性部分及び第２の剛性部分を回転可能に固定するラジアスヒンジアセンブリを含み得る。この実施例は、第１の剛性部分の内表面及び第２の剛性部分の内表面に固定される、フレキシブルディスプレイも含み得る。ラジアスヒンジアセンブリは、内表面が格納構成において接合させられるときに、フレキシブルディスプレイがかしめられる(crimped)ことから守るように、構成され得る。
【００６３】
（更なる実施例）
第１の部分及び第２の部分、並びに第１の部分及び第２の部分に固定されるフレキシブルディスプレイを含む、コンピューティングデバイス。コンピューティングデバイスは、第１の部分及び第２の部分を回転可能に固定するヒンジアセンブリも含む。第１の部分及び第２の部分が互いに対して回転させられるときに、ヒンジアセンブリの長さが変化するよう、ヒンジアセンブリは第２の部分に固定的に固定され、第１の部分に可動に固定される。
【００６４】
第１の部分は、電子コンポーネントを収容するハウジングを含み、第２の部分は、他の電子コンポーネントを収容する他のハウジングを含む、上の及び／又は下の実施例のコンピューティングデバイス。
【００６５】
ヒンジアセンブリは、ラジアスヒンジアセンブリを含む、上の及び／又は下の実施例のいずれかの組み合わせのコンピューティングデバイス。
【００６６】
ヒンジアセンブリは、互いに対する第１の部分及び第２の部分の０〜１８０度の回転を可能にするように構成される、上の及び／又は下の実施例のいずれかの組み合わせのコンピューティングデバイス。
【００６７】
ヒンジアセンブリは、第１の部分及び第２の部分の間の角度が増大するに応じて漸増的に増大する抵抗をもたらす、上の及び／又は下の実施例のいずれかの組み合わせのコンピューティングデバイス。
【００６８】
ヒンジアセンブリは、前記第１の部分に形成されるスロット内を動くように構成される突出部を含む、上の及び／又は下の実施例のいずれかの組み合わせのコンピューティングデバイス。
【００６９】
スロット内の突出部の動きがヒンジアセンブリによって制御される、上の及び／又は下の実施例のいずれかの組み合わせのコンピューティングデバイス。
【００７０】
スロット内の突出部の動きがヒンジアセンブリによって制御されない、上の及び／又は下の実施例のいずれかの組み合わせのコンピューティングデバイス。
【００７１】
ヒンジアセンブリは、スライドを含み、スライドの第１の要素は、ヒンジアセンブリに固定され、スライドの第２の要素は、第１の部分に固定される、上の及び／又は下の実施例のいずれかの組み合わせのコンピューティングデバイス。
【００７２】
第１の要素は、スライドキャリアを含み、スライドキャリアの動きは、互いに対する第１の部分及び第２の部分の動きとタイミング調節される、上の及び／又は下の実施例のいずれかの組み合わせのコンピューティングデバイス。
【００７３】
ヒンジアセンブリは、時限リンク要素を含むラジアスヒンジアセンブリを含み、時限リンク要素は、スライドキャリアの動きを推進する、上の及び／又は下の実施例のいずれかの組み合わせのコンピューティングデバイス。
【００７４】
ヒンジアセンブリは、フレキシブルディスプレイを保護するために最小の曲げ半径を維持する、上の及び／又は下の実施例のいずれかの組み合わせのコンピューティングデバイス。
【００７５】
コンピューティングデバイスは、ｅリーダ、ラップトップコンピュータ、タブレットコンピュータ、スマートホンコンピュータ、家庭用電気製品、航空機座席のコンポーネント、又は車両のコンポーネントとして現れる、上の及び／又は下の実施例のいずれかの組み合わせのコンピューティングデバイス。
【００７６】
コンピューティングデバイスであって、コンピューティングデバイスの第１の部分及びコンピューティングデバイスの第２の部分に固定される、フレキシブルディスプレイと、コンピューティングデバイスの第１の部分及び第２の部分を回転可能に固定し、且つ、第１の部分及び第２の部分が互いに対して回転させられるときに、フレキシブルディスプレイの最小の曲げ半径を維持するように構成される、ラジアスヒンジアセンブリとを含む、コンピューティングデバイス。
【００７７】
フレキシブルディスプレイは、第１の部分の平面的な表面及び第２の部分の他の平面的な表面の全体を覆う、上の及び／又は下の実施例のいずれかの組み合わせのコンピューティングデバイス。
【００７８】
フレキシブルディスプレイは、第１の部分及び第２の部分が互いに対して回転させられるときに、中立軸として機能する、上の及び／又は下の実施例のいずれかの組み合わせのコンピューティングデバイス。
【００７９】
フレキシブルディスプレイが受ける応力の力を減少させるために、第１の部分及び第２の部分が互いに対して回転させられときに、ラジアスヒンジアセンブリの寸法が変わり得る、上の及び／又は下の実施例のいずれかの組み合わせのコンピューティングデバイス。
【００８０】
コンピューティングデバイスの実施例は、展開構成から格納構成への移行を可能にするよう、第１の剛性部分及び第２の剛性部分を回転可能に固定するラジアスヒンジアセンブリを含む。コンピューティングデバイスの実施例は、第１の剛性部分の内表面及び第２の剛性部分の内表面に固定されるフレキシブルディスプレイも含み、ラジアスヒンジアセンブリは、それらの内表面が格納構成において接合させられるときに、フレキシブルディスプレイがかしめられることから守るように、構成される。
【００８１】
ラジアスヒンジアセンブリは、第２の剛性部分に固定的に固定され、第１の剛性部分に可動に固定される、上の及び／又は下の実施例のいずれかの組み合わせのコンピューティングデバイス。
【００８２】
展開構成は、第１の剛性部分を第２の剛性部分から約１８０度に向け、格納構成は、第１の剛性部分を第２の剛性部分から約０度に向け、フレキシブルディスプレイは、それらの間に位置付けられる、上の及び／又は下の実施例のいずれかの組み合わせのコンピューティングデバイス。
【００８３】
（例示的な方法）
コンピューティングデバイス、ヒンジアセンブリ、及び／又はフレキシブルディスプレイの製造、組立て、及び使用の様々な方法が、図１−２７に関して上で示したものを越えて想定される。
【００８４】
（結論）
フレキシブルディスプレイを利用するコンピューティングデバイスに関する、技法、方法、デバイス、システム等を、構造的な構成及び／又は方法論的な行為に特異な言語において記載しているが、添付の請求項に定められる主題は、必ずしも記載される特定の構成又は行為に限定されないことが、理解されるべきである。むしろ、特定の構成及び行為は、請求する方法、デバイス、システム等を実施する例示的な形態として開示されている。
【図１】
2017526993.tif 000003
【図２】
2017526993.tif 000004
【図３】
2017526993.tif 000005
【図４】
2017526993.tif 000006
【図５】
2017526993.tif 000007
【図６】
2017526993.tif 000008
【図７】
2017526993.tif 000009
【図８】
2017526993.tif 000010
【図９】
2017526993.tif 000011
【図１０】
2017526993.tif 000012
【図１１】
2017526993.tif 000013
【図１２】
2017526993.tif 000014
【図１３】
2017526993.tif 000015
【図１４】
2017526993.tif 000016
【図１５】
2017526993.tif 000017
【図１６】
2017526993.tif 000018
【図１７】
2017526993.tif 000019
【図１８】
2017526993.tif 000020
【図１９】
2017526993.tif 000021
【図２０】
2017526993.tif 000022
【図２１】
2017526993.tif 000023
【図２２】
2017526993.tif 000024
【図２３】
2017526993.tif 000025
【図２４】
2017526993.tif 000026
【図２５】
2017526993.tif 000027
【図２６】
2017526993.tif 000028
【図２７】
2017526993.tif 000029
【国際調査報告】
2017526993.tif 000030
2017526993.tif 000031
2017526993.tif 000032